(57)【特許請求の範囲】
【請求項１】
空気調和機の室外機において、
空気を吸気する開口部を有する本体と、
前記本体に収容され、前記開口部に表面を露出して配置される熱交換器と、
前記熱交換器と前記本体との間に配置されて前記開口部から露出した前記熱交換器の表面を覆う保護部材の配置および導出をガイドするガイド部材と、
前記保護部材を前記本体外に引き出すスリット孔とを備えたことを特徴とする室外機。
【請求項２】
前記開口部は、前記本体の背面および一方の側面に形成され、
前記熱交換器は、前記本体の背面および一方の側面に形成された開口部から表面を露出するＬ字形状の水平断面形状を有し、
前記ガイド部材は、少なくとも、前記本体内へ挿入された前記保護部材の端部の配置をガイドする第１のガイド部材と、前記挿入された保護部材が前記熱交換器のＬ字形状に沿って屈曲するのをガイドすると共に前記Ｌ字形状に沿って前記本体外に移動するのをガイドする第２のガイド部材とで構成され、
前記スリット孔は、前記本体の正面に形成されることを特徴とする請求項１記載の室外機。
【請求項３】
前記開口部は、前記本体の背面および両側面に形成され、
前記熱交換器は、前記本体の背面および両側面に形成された開口部から表面を露出するＵ字形状の水平断面形状を有し、
前記ガイド部材は、少なくとも、前記本体内に挿入された前記保護部材の端部の配置をガイドする第１のガイド部材と、前記挿入された保護部材が前記熱交換器のＵ字形状に沿って屈曲するのをガイドすると共に前記Ｕ字形状に沿って前記本体外に移動するのをガイドする第２および第３のガイド部材とで構成され、
前記スリット孔は、前記本体の正面に形成されることを特徴とする請求項１記載の室外機。
【請求項４】
前記開口部は、前記本体の背面および一方の側面に形成され、
前記熱交換器は、前記本体の背面および一方の側面に形成された開口部から表面を露出するＬ字形状の水平断面形状を有し、
前記ガイド部材は、少なくとも、前記本体内に挿入された前記保護部材の端部の配置をガイドする第１のガイド部材と、前記挿入された保護部材が前記熱交換器のＬ字形状に沿って屈曲するのをガイドすると共に前記Ｌ字形状に沿って前記本体外に移動するのをガイドする第２のガイド部材とで構成され、
前記スリット孔は、前記本体の他方の側面に形成されることを特徴とする請求項１記載の室外機。
【請求項５】
前記ガイド部材に沿って屈曲して前記熱交換器と前記本体との間に配置され、前記開口部から露出した前記熱交換器の表面を覆う保護部材を備えたことを特徴とする請求項１記載の室外機。
【請求項６】
前記保護部材は、前記スリット孔を挿通可能な長さ且つ前記開口部から露出した前記熱交換器の表面を覆う面積を有し、前記本体内に挿入された状態で一方の端部が前記スリット孔から突出することを特徴とする請求項５記載の室外機。
【請求項７】
空気調和機の室外機の組み立て方法において、
前記室外機の本体パネルに熱交換器およびガイド部材を取り付けるステップと、
前記ガイド部材に沿って、前記熱交換器を覆う保護部材を配置するステップと、
前記保護部材の端部を本体パネルに形成したスリット孔から所定量引き出すステップと、
前記保護部材を覆う本体パネルを取り付けるステップとを備えたことを特徴とする室外機の組立方法。
【発明の詳細な説明】
【技術分野】
【０００１】
この発明は、室外機に収容された熱交換器の露出面が破損するのを防止する技術に関するものである。
【背景技術】
【０００２】
空気調和機の室外機のケーシングには、その内部に収納された熱交換器に対して外気を供給するための開口が設けられる。このような空気調和機の室外機では、熱交換器がケーシングの開口から露出し、露出した熱交換器に対して物が接触する恐れがある。そのため、露出した熱交換器の保護を目的として、例えば特許文献１では熱交換器の表面を段ボールで覆う室外ユニットの梱包装置が開示されている。また、特許文献２には、複数の縦桟と横桟で構成された保護網を室外機の外胴開口部に臨ませて熱交換器に被着する空気調和機の室外機が開示されている。さらに、特許文献３には、複数の縦桟と横桟で構成されたリアガードを、横桟の一部の端部を室外機本体の係止部および孔部に係止させ、一部の端部をサイドパネルで抑え込む冷凍空調装置の室外機が開示されている。
【先行技術文献】
【特許文献】
【０００３】
【特許文献１】特開２００６−１２３９５６号公報
【特許文献２】特開平９−２６１６２号公報
【特許文献３】特開２００９−１６８２６０号公報
【発明の概要】
【発明が解決しようとする課題】
【０００４】
しかしながら、上述した特許文献１の室外ユニットの梱包装置では、段ボール板が熱交換器の表面と室外機筐体の上枠と下枠との間にそれぞれ差し込まれているため、段ボール板の取り外し手順として、ハンドルの形成作業（作業１）、段ボール板の上の引き出し作業（作業２）および段ボール板の下の引き出し作業（作業３）の３つの作業が発生し、取り外し作業が容易でないという課題があった。さらに、熱交換器の開口部と設置壁面との隙間が小さい場合には十分な引き出しスペースが確保できないという課題があった。【０００５】
また、上述した特許文献２および特許文献３の室外機は、いずれも熱交換器の保護を目的に複数の横桟と縦桟で構成される保護網を取り付けており、当該保護網によって熱交換器の破損を十分に防げるものではなく、且つ保護網は容易に取り付けできるものではないという課題があった。【０００６】
この発明は、上記のような課題を解決するためになされたもので、室外機筐体の運搬および据付時に当該室外機筐体から露出する熱交換器を保護する保護部材を容易に取り付け可能な構成、且つ室外機の据付完了後には狭小空間においても室外機筐体内から保護部材を容易に取り除くことができる構成を備えた室外機を提供することを目的とする。
【課題を解決するための手段】
【０００７】
この発明に係る室外機は、空気を吸気する開口部を有する本体と、本体に収容され、開口部に表面を露出して配置される熱交換器と、熱交換器と本体との間に配置されて開口部から露出した熱交換器の表面を覆う保護部材の配置および導出をガイドするガイド部材と、保護部材を本体外に引き出すスリット孔とを備えるものである。
【発明の効果】
【０００８】
この発明によれば、室外機の運搬および据え付け時に室外機筐体から露出した熱交換器を保護する保護部材を容易に取り付けることができ、且つ室外機の据付完了後には保護部材を室外機筐体内から容易に取り除くことができる。
【図面の簡単な説明】
【０００９】
【図１】実施の形態１に係る室外機を正面側から見た斜視図である。
【図２】実施の形態１に係る室外機を背面側から見た斜視図である。
【図３】図１のＡ−Ａ線断面図である。
【図４】実施の形態１に係る室外機に挿入する保護部材を示す図である。
【図５】実施の形態２に係る室外機の断面図である。
【図６】実施の形態３に係る室外機を正面側から見た斜視図である。
【図７】実施の形態３に係る室外機を背面側から見た斜視図である。
【図８】図６のＡ−Ａ線断面図である。
【発明を実施するための形態】
【００１０】
以下、この発明をより詳細に説明するために、この発明を実施するための形態について、添付の図面に従って説明する。
実施の形態１．
図１から図３を参照しながら空気調和機の室外機（以下、室外機と称する）および室外機の保護部材の構成について説明する。なお、本実施の形態は、室外機に熱交換器の破損防止用に保護部材を設けるための構成を備えた点、および保護部材を設けた点に特徴があるため、その他の構成については説明を簡略化する。
図１は、実施の形態１に係る室外機を正面側から見た斜視図であり、図２は室外機を背面側から見た斜視図である。図３は、図１のＡ−Ａ線断面図である。
この実施の形態１に係る室外機１は室外に配置され、室内に配置される室内機（不図示）と共に室内の温度または湿度を調整する空気調和機を構成する。室外機１は、図１から図３に示すように直方体形状のケーシング（本体）２、当該ケーシング２内部に収容される熱交換器３、室外ファン４、および圧縮機（不図示）などを備えている。
【００１１】
ケーシング２は、室外機１の上面を構成する天面パネル５と、室外機１の側面部分を構成する本体パネル６と、室外機１の底面を構成するベース７とによって構成されている。図１の矢印Ｂ方向から見た面を本体パネル６の正面６ａ、矢印Ｂ方向から見た場合の本体パネル６の左側の側面を左側面６ｂ、矢印Ｂ方向から見た場合の本体パネル６の右側の側面を右側面６ｃ、正面６ａと対向する位置にある面を本体パネル６の背面６ｄとする。
本体パネル６の背面６ｄおよび左側面６ｂには、矩形形状の吸気用開口部８，９が形成され、本体パネル６の正面６ａには吸気用開口部８，９からケーシング２内に吸い込まれた外気を吹き出すための排気用開口部１０が形成されている。
【００１２】
吸気用開口部８，９には、熱交換器３を覆う保護網１１，１２がそれぞれ形成されている。保護網１１，１２は、複数の縦桟と横桟により構成された格子形状を有し、熱交換器３に物が接触するのを防ぐ機能を有する。当該保護網１１，１２は、本体パネル６の背面６ｄおよび左側面６ｂに一体形成してもよいし、別部材で構成した保護網を吸気用開口部８，９それぞれにはめ込んで構成してもよい。
【００１３】
排気用開口部１０と熱交換器３との間には室外ファン４が配置される。室外ファン４は吸気用開口部８，９から外気を吸い込んで熱交換器３を通過させた後、排気用開口部１０から排出する。図１の例では、室外ファン４をケーシング２の上下方向に２つ重ねて配置し、２つの室外ファン４に対応する２つの排気用開口部１０を設けている。なお、室外ファン４の配置数は２つに限定されるものではなく、適宜変更可能である。
【００１４】
熱交換器３は、複数の薄いフィンと、当該複数のフィンを貫通し冷媒が流れる銅管（不図示）とを有しており、吸気用開口部８，９から吸い込まれた外気と銅管を流れる冷媒との熱交換を行う。この熱交換器３は、吸気用開口部８，９を塞ぐように、起立状態で吸気用開口部８，９近傍のケーシング２内部に配置され、その一部が吸気用開口部８，９の保護網１１，１２から露出している。熱交換器３は、吸気用開口部８，９、すなわち本体パネル６の２面（左側面６ｂ、背面６ｄ）を塞ぐことから、図３に示すようにＡ−Ａ線断面形状がＬ字形状となるように配置される。
【００１５】
次に、熱交換器３の破損を防止する保護部材１３について説明する。
吸気用開口部８，９に設けた保護網１１，１２の間から露出する熱交換器３を覆う保護部材１３が、本体パネル６の背面６ｄおよび左側面６ｂと熱交換器３との間に設けられる。当該保護部材１３は、例えば室外機１が生産される過程で取り付けられ、運搬および据え付け作業が終了すると取り外される。これにより、室外機１が運搬および据え付けられる過程で、露出した熱交換器３が破損するのを防止する。
【００１６】
図４は、実施の形態１に係る室外機の保護部材を示す図である。
保護部材１３は、短手方向に連続した折り目を有し、当該折り目は長手方向に細かい間隔で複数形成されている。これにより、保護部材１３は短手方向の折り目に沿って自由に折り曲げ可能となる。保護部材１３は、例えば段ボール板などの柔らかい素材で構成される。図３に示すように、保護部材１３の端部１３ａは熱交換器３の端部３ａと同様の位置まで挿入され、保護部材１３の反対側端部１３ｂは本体パネル６の正面６ａに設けられたスリット孔１４から若干量突出するように配置される。
【００１７】
次に、保護部材１３をケーシング２内に配置するための構成である、スリット孔１４、第１の内部フレーム（第１のガイド部材）１５ａおよび第２の内部フレーム（第２のガイド部材）１５ｂについて説明する。
スリット孔１４は、吸気用開口部８，９を塞ぐように保護部材１３をケーシング２内に配置した際に、当該保護部材１３の端部１３ｂが位置する領域に形成される。図３では、当該領域に排気用開口部１０と並列して、正面６ａの上下方向を開口の長手方向として形成したスリット孔１４を示している。スリット孔１４の開口部は、保護部材１３の短手方向が通過可能な形状を有している。
【００１８】
第１の内部フレーム１５ａおよび第２の内部フレーム１５ｂは、図３に示すように熱交換器３と本体パネル６との間、且つ熱交換器３の熱交換動作の妨げとならない位置２箇所に立設される。より詳細には、第１の内部フレーム１５ａは熱交換器３の端部３ａが当接する位置に立設し、第２の内部フレーム１５ｂはＬ字形状の熱交換器３の折り曲げ部分が当接する位置に立設される。第１の内部フレーム１５ａは、挿入された保護部材１３の端部１３ａの配置をガイドする機能を有し、第２の内部フレーム１５ｂは保護部材１３が熱交換器３の形状に沿って屈曲するのをガイドすると共に、スリット孔１４を介してケーシング２外に移動するのをガイドする機能を有する。第１の内部フレーム１５ａおよび第２の内部フレーム１５ｂは、図３に示すように保護部材１３と接する面（外周形状）が曲線であることから、熱交換器３を傷つけることなく保護部材１３を配置することができ、熱交換器３を傷つけることなく保護部材１３をスリット孔１４から引き出すことができる。
【００１９】
室外機１の運搬および目的場所への据え付けが終了した際に、スリット孔１４から突出している保護部材１３の端部１３ｂを保持して矢印Ｃ方向に引き出す。保護部材１３は第２の内部フレーム１５ｂの外周形状に沿って形状を変化させながらスリット孔１４方向に移動する。これにより、熱交換器３を傷つけることなく、保護部材１３全体をスリット孔１４からスムーズに引き出すことができる。
【００２０】
次に、室外機１の組立方法の一例を示す。
まずケーシング２のベース７と本体パネル６の正面６ａおよび右側面６ｃとを組み付けた状態で、熱交換器３、室外機ファン４および圧縮機などを設置する。さらに、熱交換器３の背面６ｄ側の所定位置に第１の内部フレーム１５ａおよび第２の内部フレーム１５ｂを立設させる。次に、保護部材１３を第１の内部フレーム１５ａおよび第２の内部フレーム１５ｂに沿って熱交換器３を覆うように配置し、端部１３ｂを本体パネル６の正面６ａに形成したスリット孔１４から所定量突出させる。その後、本体パネル６の背面６ｄおよび左側面６ｂを組み付け、天面パネル５を勘合する。なお、組立方法は上述したものに限定されるものではない。
【００２１】
以上のように、この実施の形態１によれば、本体パネル６の背面６ｄおよび左側面６ｂと熱交換器３との間に設ける保護部材１３の配置、屈曲および移動をガイドする第１の内部フレーム１５ａおよび第２の内部フレーム１５ｂと、保護部材１３をケーシング２外に引き出すためのスリット孔１４とを備えるように構成したので、容易に熱交換器の保護部材を取り付けることができ、さらに室外機の据付完了後には保護部材をケーシングから容易に取り除くことができる。これにより、室外機の運搬作業時あるいは据付作業時に熱交換器が破損するのを容易に防止することができる。
【００２２】
さらに、この実施の形態１によれば、所定方向に自由に折り曲げ可能な保護部材１３を熱交換器３と吸気用開口部８，９との間に配置し、保護部材１３の一端を若干量スリット孔１４から突出させて配置するように構成したので、熱交換器の形状に合わせて保護部材を配置することができ、さらに室外機の据付完了後には突出した保護部材の一端を引き抜くことにより容易に取り除くことができる。
【００２３】
また、この実施の形態１によれば、第１の内部フレーム１５ａおよび第２の内部フレーム１５ｂの保護部材１３と接する面を曲線で構成したので、熱交換器を傷つけることなく、保護部材全体をスリット孔からスムーズに引き出すことができる。
【００２４】
実施の形態２．
上述した実施の形態１ではＡ−Ａ線断面形状がＬ字形状の熱交換器３を有する室外機１を例に示したが、この実施の形態２ではＡ−Ａ線断面形状がＵ字形状の熱交換器３ｂを有する室外機に保護部材を適用する場合について示す。図５は実施の形態２に係る室外機の断面図であり、図１で示したＡ−Ａ線に相当する部分で実施形態２に係る室外機の断面図を得たものである。
実施の形態２の室外機１ａを正面６ａおよび背面６ｄから見た斜視図は実施の形態１で示した図１および図２と同一であるため、記載を省略する。
また、室外機１ａが直方体形状のケーシング２、当該ケーシング２内に熱交換器３ｂ、室外ファン４および圧縮機などを備える点は実施の形態１と同様である。
【００２５】
この実施の形態２では、ケーシング２の本体パネル６は、背面６ｄ、左側面６ｂに加えて右側面６ｃも矩形形状の吸気用開口部２１を備える。右側面６ｃの吸気用開口部２１には、複数の縦桟と横桟により構成された格子形状を有する保護網２２が形成される。当該保護網２２の構成は、実施の形態１で示した保護網１１，１２と同様である。
【００２６】
実施の形態２の熱交換器３ｂは、吸気用開口部８，９および吸気用開口部２１を塞ぐように、起立状態で吸気用開口部８，９および吸気用開口部２１近傍のケーシング２内部に配置され、その一部が吸気用開口部８，９，２１の保護網１１，１２，２２から露出している。熱交換器３ｂは、吸気用開口部８，９，２１、すなわち本体パネル６の３面を塞ぐことから、図５に示すように水平断面形状がＵ字形状となるように配置される。なお、熱交換器３ｂ自体の構成および機能は、実施の形態１で示した熱交換器３と同一であるため、説明を省略する。
【００２７】
次に、実施の形態２による室外機１ａに用いる保護部材２３について説明する。なお、保護部材２３は、実施の形態１の保護部材１３と同様に短手方向に連続した折り目を有し、当該折り目が長手方向に細かい間隔で複数形成されている。なお、図示は省略する。これにより、保護部材２３は短手方向の折り目に沿って自由に折り曲げ可能となる。保護部材２３は、例えば段ボール板などの柔らかい素材で構成される。図５に示すように、保護部材２３の端部２３ａは熱交換器３ｂの端部３ｃと同様の位置まで挿入され、保護部材２３の反対側端部２３ｂは本体パネル６の正面６ａに設けられたスリット孔１４から若干量突出するように配置される。実施の形態１の保護部材１３と比較して、右側面６ｃの吸気用開口部２１を塞ぐ分だけ保護部材２３の長手方向の長さが長く設定されている。
【００２８】
次に、保護部材２３をケーシング２内に配置するための構成である、スリット孔１４、第１の内部フレーム（第２のガイド部材）１５ａ、第２の内部フレーム（第２のガイド部材）１５ｂおよび第３の内部フレーム（第１のガイド部材）１５ｃについて説明する。
スリット孔１４は、実施の形態１と同様に吸気用開口部８，９，２１を塞ぐように保護部材２３をケーシング２内に配置した際に、当該保護部材２３の端部２３ｂが位置する領域に形成される。スリット孔１４の開口部は、保護部材２３の短手方向が通過可能な形状を有している。
【００２９】
第１の内部フレーム１５ａ、第２の内部フレーム１５ｂおよび第３の内部フレーム１５ｃは、図５に示すように熱交換器３ｂと本体パネル６との間、且つ熱交換器３ｂの熱交換動作の妨げとならない位置に立設される。第１の内部フレーム１５ａおよび第２の内部フレーム１５ｂはＵ字形状の熱交換器３ｂの折り曲げ部分が当接する位置に立設し。第３の内部フレーム１５ｃは熱交換器３ｂの端部３ｃが当接する位置に立設される。第３の内部フレーム１５ｃは、挿入された保護部材２３の端部２３ａの配置をガイドする機能を有し、第１の内部フレーム１５ａおよび第２の内部フレーム１５ｂは保護部材２３が熱交換器３ｂの形状に沿って屈曲するのをガイドすると共に、スリット孔１４を介してケーシング２外に移動するのをガイドする機能を有する。第１の内部フレーム１５ａ、第２の内部フレーム１５ｂおよび第３の内部フレーム１５ｃは、図５に示すように保護部材２３と接する面（外周形状）が曲線であることから、熱交換器３ｂを傷つけることなく保護部材２３を配置することができ、熱交換器３ｂを傷つけることなく保護部材２３をスリット孔１４から引き出すことができる。
【００３０】
室外機１ａの運搬および目的場所への据え付けが終了した際に、スリット孔１４から突出している保護部材２３の端部２３ｂを保持して矢印Ｃ方向に引き抜く。保護部材２３は第１の内部フレーム１５ａおよび第２の内部フレーム１５ｂの外周形状に沿って形状を変化させながらスリット孔１４方向に移動する。これにより、熱交換器３ｂを傷つけることなく、保護部材２３全体をスリット孔１４からスムーズに引き出すことができる。
なお、室外機１ａの組立方法は、実施の形態１で示した方法と同様である。
【００３１】
以上のように、この実施の形態２によれば、本体パネル６の背面６ｄ、左側面６ｂ右側面６ｃと熱交換器３ｂとの間に設ける保護部材２３の配置、屈曲および移動をガイドする第１の内部フレーム１５ａ、第２の内部フレーム１５ｂおよび第３の内部フレーム１５ｃと、保護部材２３をケーシング２外に引き出すためのスリット孔１４とを備えるように構成したので、容易に熱交換器の保護部材を取り付けることができ、さらに室外機の据付完了後には保護部材をケーシングから容易に取り除くことができる。これにより、室外機の運搬作業時あるいは据付作業時に熱交換器が破損するのを容易に防止することができる。
【００３２】
また、この実施の形態２によれば、所定方向に自由に折り曲げ可能な保護部材２３を熱交換器３ｂと吸気用開口部８，９、２１との間に配置し、保護部材２３の一端をスリット孔１４から突出させて配置するように構成したので、熱交換器の形状に合わせて保護部材を配置することができ、さらに室外機の据付完了後には突出した保護部材の一端を引き抜くことにより容易に取り除くことができる。
【００３３】
また、この実施の形態２によれば、ケーシング２の本体パネル６の左右側面６ｂ，６ｃ，背面６ｄに配置された熱交換器３ｂを保護する保護部材２３を配置するように構成したので、ケーシングの本体パネルの両側面および背面において熱交換器が露出する室外機においても、運搬作業時および据付作業時に熱交換器を保護し、据付後は容易に正面から保護部材を引き出すことができる。また、据付場所が本体パネルの両側面および背面が狭小空間であっても正面から容易に保護部材を引き出すことができる。
【００３４】
また、この実施の形態２によれば、第１の内部フレーム１５ａ、第２の内部フレーム１５ｂおよび第３の内部フレーム１５ｃの保護部材２３と接する面を曲線で構成したので、熱交換器を傷つけることなく、保護部材全体をスリット孔からスムーズに引き出すことができる。
【００３５】
実施の形態３．
この実施の形態３では、室外機を正面６ａから見た場合に右側面６ｃから保護部材を引き抜き可能な構成を示す。
図６は、実施の形態３に係る室外機を正面側から見た斜視図であり、図７は室外機を背面側から見た斜視図である。図８は、図６のＡ−Ａ線断面図である。
室外機１ｂが直方体形状のケーシング２、当該ケーシング２内に熱交換器３、室外ファン４および圧縮機などを備える点は実施の形態１と同様である。
【００３６】
ケーシング２の本体パネル６は、背面６ｄおよび左側面６ｂに矩形形状の吸気用開口部８，９が形成され、本体パネル６の正面６ａには排気用開口部１０が形成される。吸気用開口部８，９には保護網１１，１２が形成されている。熱交換器３は、図８に示すように吸気用開口部８，９を塞ぐ、すなわちＡ−Ａ線断面形状がＬ字形状となるように配置される。
【００３７】
保護部材１３は、実施の形態１と同様に短手方向に設けた折り目に沿って自由に折り曲げ可能であり、例えば段ボール板などの柔らかい素材で構成される。図８に示すように、保護部材１３の端部１３ｂは熱交換器３の端部３ｄと同様の位置まで挿入され、保護部材１３の端部１３ｂは本体パネル６の右側面６ｃに設けられたスリット孔３１から若干量突出するように配置される。
【００３８】
スリット孔３１は、吸気用開口部８，９を塞ぐように保護部材１３をケーシング２内に配置した際に、当該保護部材１３の端部１３ａが位置する領域に形成される。スリット孔３１は、保護部材１３の短手方向が通過可能な形状を有している。
【００３９】
第２の内部フレーム１５ｂ（第２のガイド部材）および第４の内部フレーム（第１のガイド部材）１５ｄは、図８に示すように熱交換器３と本体パネル６との間、且つ熱交換器３の熱交換動作の妨げとならない位置２箇所に立設される。より詳細には、第２の内部フレーム１５ｂはＬ字形状の熱交換器３の折り曲げ部分が当接する位置に立設し、第４の内部フレーム１５ｄは熱交換器３の端部３ｄが当接する位置に立設される。第４の内部フレーム１５ｄは、挿入された保護部材１３の配置をガイドする機能を有し、第２の内部フレーム１５ｂは保護部材１３をスリット孔３１から引き出す際に保護部材１３が熱交換器３の形状に沿って屈曲するのをガイドすると共に、スリット孔３１を介してケーシング２外に移動するのをガイドする機能を有する。第２の内部フレーム１５ｂおよび第４の内部フレーム１５ｄは保護部材１３と接する面（外周形状）が曲線であることから、熱交換器３を傷つけることなく保護部材１３を配置することができ、熱交換器３を傷つけることなく保護部材１３をスリット孔３１から引き出すことができる。
【００４０】
室外機１ｂの運搬および目的場所への据え付けが終了した際に、スリット孔３１から突出している保護部材１３の端部１３ａを保持して矢印Ｄ方向に引き抜く。保護部材１３は第２の内部フレーム１５ｂの外周形状に沿って形状を変化させながらスリット孔３１方向に移動する。これにより、熱交換器３を傷つけることなく、保護部材１３全体をスリット孔３１からスムーズに引き出すことができる。
【００４１】
次に、室外機１ｂの組立方法の一例を示す。
まずケーシング２のベース７と本体パネル６の正面６ａおよび右側面６ｃとを組み付けた状態で、熱交換器３、室外機ファン４および圧縮機などを設置する。さらに、熱交換器３の背面６ｄ側の所定位置に第２の内部フレーム１５ｂおよび第４の内部フレーム１５ｄを立設させる。次に、保護部材１３を第２の内部フレーム１５ｂおよび第４の内部フレーム１５ｄに沿って熱交換器３を覆うように配置し、端部１３ａを本体パネル６の右側面６ｃに形成したスリット孔３１から所定量突出させる。その後、本体パネル６の背面６ｄおよび左側面６ｂを組み付け、天面パネル５を勘合する。なお、組立方法は上述したものに限定されるものではない。
【００４２】
以上のように、この実施の形態３によれば、本体パネル６の背面６ｄおよび左側面６ｂと熱交換器３との間に設ける保護部材１３の配置、屈曲および移動をガイドする第２の内部フレーム１５ｂおよび第４の内部フレーム１５ｄと、保護部材１３をケーシング２外に引き出すためのスリット孔３１とを備えるように構成したので、容易に熱交換器の保護部材を取り付けることができ、さらに室外機の据付完了後には保護部材をケーシングから容易に取り除くことができる。これにより、室外機の運搬作業時あるいは据付作業時に熱交換器が破損するのを容易に防止することができる。
【００４３】
また、この実施の形態３によれば、所定方向に自由に折り曲げ可能な保護部材１３を熱交換器３と吸気用開口部８，９との間に配置し、保護部材１３の一端を若干量スリット孔３１から突出させて配置するように構成したので、熱交換器の形状に合わせて保護部材を配置することができ、さらに室外機の据付完了後には突出した保護部材の一端を引き抜くことにより容易に取り除くことができる。
また、据付場所が２階外壁など、室外機正面の足場が確保できない場所であった場合、あるいは室外機を正面から見た場合に左側および背面が狭小空間であった場合にも、室外機を正面から見て右側から保護部材を引き出すことができる。
【００４４】
また、この実施の形態３によれば、第２の内部フレーム１５ｂおよび第４の内部フレーム１５ｄの保護部材１３と接する面を曲線で構成したので、熱交換器を傷つけることなく、保護部材全体をスリット孔からスムーズに引き出すことができる。
【００４５】
なお、第１の内部フレーム１５ａ，第２の内部フレーム１５ｂ，第３の内部フレーム１５ｃおよび第４の内部フレーム１５ｄは、上述した実施の形態１から実施の形態３で示した形状に限定されるものではなく、適宜変更可能である。例えば、円柱形状の棒を立設するなど、保護部材をスムーズに引き出すことができる形状であればどのような形状であってもよい。また、内部フレームの設置数も上述した実施の形態１から実施の形態３で示した数に限定されるものではなく適宜変更可能である。
【００４６】
なお、本発明はその発明の範囲内において、各実施の形態の自由な組み合わせ、各実施の形態の任意の構成要素の変形、または各実施の形態の任意の構成要素の省略が可能である。
【産業上の利用可能性】
【００４７】
この発明に係る室外機は、熱交換器の破損を防止する簡易的な保護部材をケーシング内に容易に配置可能な構成を備え、据付後には当該保護部材をスリット孔から容易に引き抜き可能に構成したので、狭小空間に設置する室外機の熱交換器の保護に適している。
【符号の説明】
【００４８】
１，１ａ，１ｂ 室外機、２  ケーシング、３，３ｂ  熱交換器、３ａ，３ｃ，３ｄ  端部、４  室外ファン、５  天面パネル、６  本体パネル、６ａ  正面、６ｂ  左側面、６ｃ  右側面、６ｄ  背面、７  ベース、８，９、２１  吸気用開口部、１０  排気用開口部、１１，１２，２２  保護網、１３，２３  保護部材、１３ａ，１３ｂ，２３ａ，２３ｂ  端部、１４，３１  スリット孔、１５ａ  第１の内部フレーム、１５ｂ  第２の内部フレーム、１５ｃ  第３の内部フレーム、１５ｄ  第４の内部フレーム。
【図１】
0005968582.tif 000002
【図２】
0005968582.tif 000003
【図３】
0005968582.tif 000004
【図４】
0005968582.tif 000005
【図５】
0005968582.tif 000006
【図６】
0005968582.tif 000007
【図７】
0005968582.tif 000008
【図８】
0005968582.tif 000009